(57)【要約】【課題】カートリッジからディスクを容易に取り出すことができるケースを提供することである。【解決手段】カートリッジ２００を収納可能なケース１にリブ２を設けたことにより、カートリッジ２００の収納方向を所定方向にすることで、カートリッジ２００におけるシャッターロック部材２０４のロックを解除し、ディスク２０１をカートリッジ２００から取り出し可能な状態に移行させることができる。よって、容易にカートリッジ２００からディスク２０１を取り出すことができる。【選択図】図１
2009149359.tif 000002
【特許請求の範囲】
【請求項１】
内部に情報媒体を収納し、全長Ｌが１３０．５ｍｍ≦Ｌ≦１３１．０ｍｍ、全幅Ｗが１２８．５ｍｍ≦Ｗ≦１２８．９ｍｍ、厚みＴが７．７ｍｍ≦Ｔ≦８．１ｍｍの基本的に直方体形状を有し、
円弧形状で突出する板体頂辺と、前記板体頂辺の両端から延在する一対の側辺と、前記情報媒体を回転するターンテーブルが遊挿するスピンドル窓部及び前記板体頂辺を貫通し前記情報媒体が備える情報層に情報信号の授受を行うヘッドが係合するヘッド窓部とを含むドライブ用窓部と、前記スピンドル窓部を介して前記板体頂辺に対向する後辺とを含み構成する板体と、
前記板体と対向し、前記情報媒体の一方の面を露出する媒体露出孔と、前記板体頂辺の形状を有する対向板体頂辺と、前記一対の側辺の形状を有する一対の対向側辺と、前記後辺の形状を有する対向後辺とを備える対向板体と、
前記一対の側辺と前記一対の対向側辺とを連設する一対の側壁及び前記後辺と前記対向後辺とを連設する後壁と、
前記側壁の一方に、当該側壁の外面から窪み量が５．０ｍｍ以下で形成された溝部と、
前記溝部の底面から露出したギアによる回動に連動し、前記ドライブ用窓部を開閉するシャッター部材と、
前記溝部において、前記板体頂辺から前記後辺方向への距離Ｄが３０．４ｍｍ≦Ｄ≦３７．７ｍｍの範囲で、当該溝部を備えた側壁の外面から１．３ｍｍ窪み、前記シャッター部材の回動動作をロックするシャッターロック部材とを備えたカートリッジを収容するケースにおいて、
前記カートリッジを収容した状態で、
前記板体に対し平行に配置される長方形形状の底板と、
前記底板の外周を成す相対向する一対の辺から垂直に立設し、前記カートリッジの厚みＴを吸収する一対の側板と、
前記板体頂辺側の前記一対の側板及び前記底板を連設する前板と、
前記前板を上側とし、前記底板の面を当該前板及び前記一対の側板が立設する側から眺めたとき、当該一対の側板の内右側の側板に前記シャッターロック部材を押圧可能なリブとを備え、
前記リブは、
当該リブを備えた側板における、前記前板から、少なくとも前記シャッターロック部材までの長さを有することを特徴とするケース。
【請求項２】
前記リブは、
前記板体頂辺から前記シャッターロック部材までの前記カートリッジの側壁上における距離をＡ１とし、前記前板側の前記リブ端面から当該前板まで前記側板上での距離をＢ１とした時、
Ａ１＜Ｂ１
の関係になる位置に配されている請求項１記載のケース。
【請求項３】
前記カートリッジは前記シャッターロック部材を備える前記側壁に対し対向する対向側壁と、前記対向側壁の外面から窪み量が５．０ｍｍ以下で形成され、当該対向側壁上で前記後壁からの距離Ｘが８８．８ｍｍ≦Ｘ≦９０．１ｍｍの範囲で前記板体頂辺から形成された第２の溝部とをさらに備え、
前記リブは、
前記前板側の前端面と、当該前端面の前記リブ形成方向における後側に後端面を有し、
前記後辺から前記後端面までの前記側面上での距離をＣ１とした時、
Ｃ１≧９０．１ｍｍ
である請求項１または２いずれかに記載のケース。
【請求項４】
前記リブを備える前記側板に対し前記底面を介して対向する側面に第２のリブを備え、
前記第２のリブは、前記前面側の前側端面と前記後辺側の後側端面とを有し、
前記第２のリブを備える側板において、前記前側端面と前記前板との距離をＤ１とし、前記後側端面と前記後辺との距離をＥ１とした時、
３７．７ｍｍ＜Ｄ１
９０．１ｍｍ≧Ｅ１
の長さを有する、請求項１〜３のいずれかに記載のケース。
【請求項５】
前記底板に対向し、前記一対の側板及び前板に略直交するように配されている天板を、さらに備えた請求項１〜４のいずれかに記載のケース。
【請求項６】
前記底板、前記一対の側板及び前記天板を介して前記前板に対向する前記カートリッジ挿入口における、前記底板の縁部または前記底板と前記天板との縁部に、収納されている当該カートリッジの後壁側の一部を露出させる切り欠き部が形成されている請求項５記載のケース。
【請求項７】
前記一対の側壁に平行な一対の切り込み、前記対向板体頂辺に前記媒体露出孔を介して対向する対向板体底辺の一部、及び前記媒体露出孔の一部で構成され、前記対向板体に収納される対向板体蓋部を前記カートリッジにさらに備え、
前記板体を前記底板に近接して前記カートリッジを収容した状態で、前記シャッターロック部材と前記リブとを押圧係合させ、前記対向板体蓋部を前記対向板体における収納位置から前記板体に対しずらすことで、前記カートリッジに収容した前記情報媒体を当該カートリッジから取り出し可能な状態に移行させることができる請求項１〜６のいずれかに記載のケース。
【請求項８】
前記カートリッジから前記情報媒体を取り出した履歴を示す識別子を前記後壁近傍に備え、
前記カートリッジの前記対向板体を前記底板に近接して配置した時、前記識別子が視認できる第２の切り欠きが、前記底板における前記挿入口の縁部または前記底板と前記天板とにおける前記挿入口の縁部に形成されている、請求項７記載のケース。
【発明の詳細な説明】
【技術分野】
【０００１】
本発明は、ディスク状情報媒体を回転自在に収納したカートリッジを収納可能なケースに関する。
【背景技術】
【０００２】
近年、放送番組をディスク状媒体に記録可能な、いわゆるディスクレコーダーが急速に普及してきている。そのようなＤＶＤレコーダーに使用される情報媒体としては、例えば、ＤＶＤ−ＲやＤＶＤ−ＲＡＭ規格などに準拠したディスクがあるが、ＤＶＤに比べて記録可能な容量を大きくしたブルーレイディスク規格に準拠したディスク（以下、ＢＤと称する）も、徐々に普及してきている。
【０００３】
ＢＤは、ＤＶＤと同じ直径１２ｃｍの多層ディスクを使用し、記録密度を高めているため、記録面に埃や傷などが付着すると、各種データの記録または再生を行うことができなくなりやすい。そのため、一般的にＢＤは、記憶面に埃などが付着しにくいように、立方体形状のカートリッジに収納された状態で取り扱われている。ＢＤカートリッジの構成は、例えば特許文献１に開示されている。
【０００４】
図２６は、カートリッジ１００（第１のカートリッジ）の外観構成を示す斜視図である。図２７は、下ハーフ１０３の構成を示す斜視図であり、上ハーフ１０２やディスク１０１を取り除いた状態を示している。
【０００５】
図２６及び図２７に示すように、カートリッジ１００は、例えばＢＤ規格に準拠したディスク１０１が内蔵されているＢＤカートリッジで構成されている。また、カートリッジ１００は、筐体が大きく分けて上ハーフ１０２（対向板体）と下ハーフ１０３（板体）とから構成されている。
【０００６】
下ハーフ１０３は、ディスク１０１の記録面側に設けられている。上ハーフ１０２は、ディスク１０１を回転自在に収容するためにディスク１０１を挟んで下ハーフ１０３と係合するように設けられている。
【０００７】
下ハーフ１０３には、ディスク１０１の記録面を半径方向に沿って露出させるための開口窓部が形成されている。開口窓部には、ディスク１０１を記録再生する記録再生装置に設けられた光ピックアップ及びターンテーブルが挿入される。下ハーフ１０３とディスク１０１との間には、開口窓部を開放および閉塞させるための一対のシャッター１０７（図２７を参照して後述）が設けられている。
【０００８】
上ハーフ１０２には、ディスク１０１の上ハーフ１０２側の面（一方の面）をほぼ全面的に露出させるように露出孔１０２ａが形成されている。この露出孔１０２ａからディスク１０１が脱落することを防ぐために、露出孔１０２ａは、ディスク１０１の投影面上の大きさよりも小さい開口面積を有するとともに、ディスク１０１のように真円ではなく、略楕円形状に形成されている。さらに、ディスク１０１の脱落を防止するために、下ハーフ１０３には一対の爪部１０８が配されている。
【０００９】
カートリッジ１００の一対の側面には、それぞれ溝部１１４と溝部１１５が形成されている。溝部１１４内には、シャッター１０７を開閉させるためのシャッター開閉部材１０５と、シャッター開閉部材１０５のロック状態を解除するためのシャッターロック部材１０４とが配されている。
【００１０】
シャッターロック部材１０４は、矢印Ｍ方向に押圧可能に配されており、押圧操作されていない状態ではシャッター開閉部材１０５が動作しないようにロックしている。また、シャッターロック部材１０４は、一端に配されている押圧部１０４ａが、常時カートリッジ１００の側面において突出するように、弾性力を伴って付勢されている。また、シャッターロック部材１０４を押圧操作することで、シャッター開閉部材１０５のロック状態を解除することができる。図２８は、シャッターロック部材１０４の周辺の拡大平面図を示している。図２８に示すように、シャッターロック部材１０４は、回動軸１０６の軸回りに回動自在に配されている。図２８に示す状態は、シャッター開閉部材１０５をロックしている状態を示しており、図示の状態から矢印Ｐ方向へ回動させることで、ロックを解除することができる。また、シャッターロック部材１０４の一端には、カートリッジ１００の側面に露出する押圧部１０４ａが配され、他端にはシャッターロック部材１０４の回動動作に伴ってシャッター開閉部材１０５の孔部１０５ｂに対して、嵌合または離間する爪部１０４ｂが配されている。
【００１１】
シャッター開閉部材１０５は、矢印Ｎまたはその逆方向に、ディスク１０１の外周縁におおよそ沿うように移動可能に配されている。シャッター開閉部材１０５には、一対のシャッター１０７が連結されており、矢印Ｎ方向へ移動させるとシャッター１０７を開放状態にし、矢印Ｎの逆方向に移動させるとシャッター１０７を閉塞状態にすることができる。また、シャッター開閉部材１０５は、カートリッジ１００の側面において露出する部位に凹部１０５ａが形成されており、凹部１０５ａには装置側に配されているシャッターを開閉させるための突起が嵌合されて矢印Ｎまたはその逆方向へ移動される。また、シャッター開閉部材１０５には、シャッターロック部材１０４の爪部１０４ｂが嵌合可能な孔部１０５ｂが形成されており、孔部１０５ｂに爪部１０４ｂが嵌合されている状態では、シャッター開閉部材１０５は移動できない状態になっている。また、シャッター開閉部材１０５には、凹部１０５ａと孔部１０５ｂとの間の部分に歯部１０９が形成されている。また、シャッター開閉部材１０５には一対の爪部１０８が連結されており、シャッター開閉部材１０５の移動に伴って一対の爪部１０８を収納位置または突出位置に移動させることができる。
【００１２】
爪部１０８が突出位置にある時は、爪部１０８はディスク１０１の投影面上で重なる位置にあるため、ディスク１０１がカートリッジ１００から離脱するのを防ぐことができる。また、爪部が収納位置にある時は、爪部１０８はディスク１０１の投影面上で重ならない位置に退避しているため、ディスク１０１をカートリッジ１００から取り出すことができる。
【００１３】
図２７及び図２８に示す状態から、押圧部１０４ａが押圧されることで、シャッターロック部材１０４が矢印Ｐ方向へ回動し、爪部１０４ｂと孔部１０５ｂとの嵌合状態が解除され、シャッター開閉部材１０５が移動可能な状態になる。この状態から、シャッター開閉部材１０５を矢印Ｎ方向へ移動させることで、シャッター１０７を閉塞状態から開放状態へ移行させることができるとともに、一対の爪部１０８を収納位置へ移動させることができる。これにより、ディスク１０１は、カートリッジ１００に内在した状態で、ターンテーブルとクランパとで挟持され、所定の回転数で回転可能な状態になる。ディスク１０１に対して各種データの記録再生などを行う際は、前述のようにディスク１０１を所定の回転数で回転させながら、レーザーダイオードからのレーザー光をディスク１０１の記録面に照射させ、また記録面を反射した光を光ピックアップで受光することで、記録再生動作を行うことができる。
【００１４】
一方、最近ではＢＤ規格のディスクを、ベアディスクとして取り扱う使用法も提案されている。そのような使用法に対応するために、使用者によってカートリッジからディスクを取り出すことができる機構が提案されている。そのような機構が搭載されたカートリッジを第２のカートリッジとする。以下、第２のカートリッジの構成について、簡単に説明する。
【００１５】
図２９は、第２の構成のカートリッジの分解斜視図である。図２９において、第２のカートリッジ２００には、第１のカートリッジと同様、センターホール２０１ａを備えたディスク２０１、上ハーフ２０２、下ハーフ２０３、シャッターロック部材２０４，シャッター開閉部材２０５、爪部２０８、溝部１１４、溝部１１５を備えている。これらの構成については、第１のカートリッジと同様であるため説明は省略する。
【００１６】
スライド部材２１０は、上ハーフ２０２に形成されている凹部２０２ａに配され、図３０における矢印Ｓ方向または図３１における矢印Ｔ方向へスライド可能に配されている。また、スライド部材２１０の裏面には、ピン（不図示）が形成され、上ハーフ２０２の凹部２０２ａ内に形成されている一対の溝部２１２に嵌合している。また、スライド部材２１０には、ピン２１１を挿通可能な孔部２１０ａが形成されている。
【００１７】
ピン２１１は、スライド部材２１０の開閉履歴を残すためのものであり、孔部２１０ａを介して孔部２１３に嵌合されていることで、スライド部材２１０がスライドできないように規制している。すなわち、ピン２１１をカートリッジ２００から取り外さないと、スライド部材２１０をスライドさせることができず、ディスク２０１をカートリッジ２００から取り出すことができない。ピン２１１は、一度カートリッジ２００から取り外すと、二度と装着できないようになっている。したがって、ピン２１１の有無に基づき、一度もディスクが取り出されていないカートリッジであるか、ディスクが取り出されたことがあるカートリッジであるかを判断することができる。
【００１８】
溝部２１２は、スライド部材２１０の裏面に形成されているピンが移動自在に嵌合することで、スライド部材２１０を矢印ＳまたはＴ方向へスライドさせることができる。
【００１９】
上記のように構成されたカートリッジ２００において、スライド部材２１０は、図２９に示すように矢印Ｑの経路にしたがって、上ハーフ２０２の凹部２０２ａに配されている。この時、スライド部材２１０の裏面に形成されているピンを溝部２１２に嵌合させることで、スライド部材２１０を上ハーフ２０２に対して移動自在に配することができる。また、ピン２１１は、矢印Ｒに示すように、スライド部材２１０の孔部２１０ａを挿通して、上ハーフ２０２の孔部２１３に嵌合されている。
【００２０】
カートリッジ２００からディスク２０１を取り出す場合は、まず、図３０に示すように、孔部２１０ａ及び２１３に嵌合されているピン２１１を、矢印Ｕに示すように抜去する。これで、スライド部材２１０のロックが解除される。
【００２１】
この状態では、スライド部材２１０に連結されているシャッター開閉部材２０５が、シャッターロック部材２０４によって移動がロックされているので、シャッターロック部材２０４を矢印Ｍ方向へ押圧してシャッター開閉部材２０５のロックを解除する。次に、シャッターロック部材２０４を押圧しながら、スライド部材２１０を矢印Ｓ方向へスライドさせる。これにより、スライド部材２１０に連結されているシャッター開閉部材２０５が移動されて、シャッター（不図示）を開蓋状態へ移行させることができる。スライド後の状態を図３１に示す。
【００２２】
図３１に示すようにスライド部材２１０が引き出されると、スライド部材２１０が投影面上でディスク２０１と重ならない位置へ移動するとともに、爪部２０８がカートリッジ２００内へ収納される。これにより、ディスク２０１を規制状態から開放することができるので、カートリッジ２００から取り出すことができる。
【００２３】
なお、ＢＤカートリッジの外径寸法は、全長Ｌ、全幅Ｗ、厚みＴがそれぞれ、
１３０．５ｍｍ≦Ｌ≦１３１．０ｍｍ
１２８．５ｍｍ≦Ｗ≦１２８．９ｍｍ
７．７ｍｍ≦Ｔ≦８．１ｍｍ
である。また、溝部１１４（２１４）は、カートリッジ１００（２００）の側壁の外面からの窪み量が、５．０ｍｍ以下で形成されている。また、シャッターロック部材２０４は、溝部１１４（２１４）において、カートリッジ１００（２００）の頂辺からの距離Ｄが、
３０．４ｍｍ≦Ｄ≦３７．７ｍｍ
の範囲で、溝部１１４（２１４）を備えた側壁の外面から１．３ｍｍ窪むように構成されている。上記各寸法は、ＢＤ規格に基づくものである。
【特許文献１】特許第３３９５９７７号公報
【特許文献２】実開平６−１２８９号公報
【発明の開示】
【発明が解決しようとする課題】
【００２４】
しかしながら図２９〜図３１に示すカートリッジでは、ディスクを取り出す際に、シャッターロック部材２０４を押圧しながらスライド部材２１０をスライドさせなければならない。シャッターロック部材２０４は、非常に小さい部品であるとともに、カートリッジ２００の側面に形成されている溝部の底に配されているため、押圧操作が極めて困難であり、容易にカートリッジ２００からディスク２０１を取り出すことができないという問題があった。
【００２５】
本発明の目的は、カートリッジにおいてディスクの取り出しを規制しているロック手段のロック状態を容易に解除し、カートリッジからディスクを容易に取り出すことができるケースを提供することである。
【課題を解決するための手段】
【００２６】
この目的を達成するために本発明の第１のケースは、内部に情報媒体を収納し、全長Ｌが１３０．５ｍｍ≦Ｌ≦１３１．０ｍｍ、全幅Ｗが１２８．５ｍｍ≦Ｗ≦１２８．９ｍｍ、厚みＴが７．７ｍｍ≦Ｔ≦８．１ｍｍの基本的に直方体形状を有し、円弧形状で突出する板体頂辺と、前記板体頂辺の両端から延在する一対の側辺と、前記情報媒体を回転するターンテーブルが遊挿するスピンドル窓部及び前記板体頂辺を貫通し前記情報媒体が備える情報層に情報信号の授受を行うヘッドが係合するヘッド窓部とを含むドライブ用窓部と、前記スピンドル窓部を介して前記板体頂辺に対向する後辺とを含み構成する板体と、前記板体と対向し、前記情報媒体の一方の面を露出する媒体露出孔と、前記板体頂辺の形状を有する対向板体頂辺と、前記一対の側辺の形状を有する一対の対向側辺と、前記後辺の形状を有する対向後辺とを備える対向板体と、前記一対の側辺と前記一対の対向側辺とを連設する一対の側壁及び前記後辺と前記対向後辺とを連設する後壁と、前記側壁の一方に、当該側壁の外面から窪み量が５．０ｍｍ以下で形成された溝部と、前記溝部の底面から露出したギアによる回動に連動し、前記ドライブ用窓部を開閉するシャッター部材と、前記溝部において、前記板体頂辺から前記後辺方向への距離Ｄが３０．４ｍｍ≦Ｄ≦３７．７ｍｍの範囲で、当該溝部を備えた側壁の外面から１．３ｍｍ窪み、前記シャッター部材の回動動作をロックするシャッターロック部材とを備えたカートリッジを収容するケースにおいて、前記カートリッジを収容した状態で、前記板体に対し平行に配置される長方形形状の底板と、前記底板の外周を成す相対向する一対の辺から垂直に立設し、前記カートリッジの厚みＴを吸収する一対の側板と、前記板体頂辺側の前記一対の側板及び前記底板を連設する前板と、前記前板を上側とし、前記底板の面を当該前板及び前記一対の側板が立設する側から眺めたとき、当該一対の側板の内右側の側板に前記シャッターロック部材を押圧可能なリブとを備え、前記リブは、当該リブを備えた側板における、前記前板から、少なくとも前記シャッターロック部材までの長さを有するものである。
【００２７】
また、本発明の第２のケースは、内部に情報媒体を収納し、全長Ｌが１３０．５ｍｍ≦Ｌ≦１３１．０ｍｍ、全幅Ｗが１２８．５ｍｍ≦Ｗ≦１２８．９ｍｍ、厚みＴが７．７ｍｍ≦Ｔ≦８．１ｍｍの基本的に直方体形状を有し、前記情報媒体を回転するターンテーブルが遊挿するスピンドル窓部と、前記板体を構成する一辺である板体頂辺を貫通し前記情報媒体が備える情報層に情報信号の授受を行うヘッドが係合するヘッド窓部とを含むドライブ用窓部を穿った前記箱体を構成する板体と、前記板体と対向し前記情報媒体の一方の面を露出する媒体露出孔と、前記板体頂辺の形状を有する対向板体頂辺とを備え、前記板体と対向する対向板体と、前記板体における前記ヘッド窓部の境界線に対し平行な一方の側壁に、当該側壁の外面から窪み量が５．０ｍｍ以下で形成された溝部と、前記溝部の底面から露出したギアによる回動に連動し、前記ドライブ用窓部を開閉するシャッター部材と、前記溝部において、前記板体頂辺からの距離Ｄが３０．４ｍｍ≦Ｄ≦３７．７ｍｍの範囲で、当該溝部を備えた側壁の外面から１．３ｍｍ窪み、前記シャッター部材の回動動作をロックするシャッターロック部材とを備えたカートリッジを収容するケースにおいて、前記カートリッジを収容した状態で、前記板体に対し平行に配置される長方形形状の底板と、前記底板の外周を成す相対向する一対の辺から垂直に立設し、前記カートリッジの厚みを吸収する一対の側面と、前記一対の側面を連設し、前記カートリッジを収納した際にその頂辺が対向する後面と、前記後面を上側とし、当該後面及び前記一対の側面が立設する側から前記底板を眺めたとき、当該一対の側面の内右側の側面に配されている第１のリブと、前記第１のリブが配されている側面に対向する側面に第２のリブとを備え、前記カートリッジを、前記板体と前記底板とが対向するように当該ケースに収納し、前記第２のリブが前記第２の溝部の終端部に当接させた際、前記第１のリブが前記シャッターロック部材を押圧して前記シャッター部材の回動動作のロックを解除可能である。
【発明の効果】
【００２８】
本発明は、カートリッジから容易にディスクを取り出すことができるという効果が得られる。
【発明を実施するための最良の形態】
【００２９】
本発明のケースは、前記リブは、前記板体頂辺から前記シャッターロック部材までの前記カートリッジの側壁上における距離をＡ１とし、前記前板側の前記リブ端面から当該前板まで前記側板上での距離をＢ１とした時、Ａ１＜Ｂ１の関係になる位置に配されている構成とすることができる。この構成により、カートリッジをケースの奥まで挿入して収納している際に、常時、シャッターロック部材が押圧される現象を回避することができ、シャッターロック部材のバネ性の低下を低減することができる。また、常時シャッターロック部材が押圧され、カートリッジの取出履歴ピンが抜去されている状態では、スライド部が不意にスライドしてしまい、シャッターが開いてしまう可能性があるが、本構成によれば、取出履歴ピンが抜去されていたとしても、スライド部の移動をロックし、シャッターの開閉動作をロックすることができる。
【００３０】
また、本発明のケースは、前記カートリッジは前記シャッターロック部材を備える前記側壁に対し対向する対向側壁と、前記対向側壁の外面から窪み量が５．０ｍｍ以下で形成され、当該対向側壁上で前記後壁からの距離Ｘが８８．８ｍｍ≦Ｘ≦９０．１ｍｍの範囲で前記板体頂辺から形成された第２の溝部とをさらに備え、前記リブは、前記前板側の前端面と、当該前端面の前記リブ形成方向における後側に後端面を有し、前記後辺から前記後端面までの前記側面上での距離をＣ１とした時、Ｃ１≧９０．１ｍｍである構成とすることができる。この構成により、カートリッジをケースに収納した際に、カートリッジの頂面がケースの後面に当接しないか、あるいは当接したとしても頂面に押圧力が加わらないようにしたことにより、カートリッジの頂面を保護することができる。
【００３１】
また、本発明のケースは、前記リブを備える前記側板に対し前記底面を介して対向する側面に第２のリブを備え、前記第２のリブは、前記前面側の前側端面と前記後辺側の後側端面とを有し、前記第２のリブを備える側板において、前記前側端面と前記前面との距離をＤ１とし、前記後側端面と前記後辺との距離をＥ１とした時、３７．７ｍｍ＜Ｄ１、９０．１ｍｍ≧Ｅ１の長さを有する構成とすることができる。この構成により、カートリッジをケースに収納した際に、カートリッジの頂面がケースの後面に当接しないか、あるいは当接したとしても頂面に押圧力が加わらないようにしたことにより、カートリッジの頂面を保護することができる。
【００３２】
また、本発明のケースは、前記底板に対向し、前記一対の側板及び前板に略直交するように配されている天板を、さらに備えた構成とすることができる。この構成により、カートリッジに埃などの異物が侵入することを防ぐことができる。
【００３３】
また、本発明のケースは、前記底板、前記一対の側板及び前記天板を介して前記前板に対向する前記カートリッジ挿入口における、前記底板の縁部または前記底板と前記天板との縁部に、収納されている当該カートリッジの後壁側の一部を露出させる切り欠き部が形成されている構成とすることができる。この構成により、ケースに収納されたカートリッジをケースから取り出す際、カートリッジの掴み代を確保することができるので、容易に取り出すことができる。
【００３４】
また、本発明のケースは、前記一対の側壁に平行な一対の切り込み、前記対向板体頂辺に前記媒体露出孔を介して対向する対向板体底辺の一部、及び前記媒体露出孔の一部で構成され、前記対向板体に収納される対向板体蓋部を前記カートリッジにさらに備え、前記板体を前記底板に近接して前記カートリッジを収容した状態で、前記シャッターロック部材と前記リブとを押圧係合させ、前記対向板体蓋部を前記対向板体における収納位置から前記板体に対しずらすことで、前記カートリッジに収容した前記情報媒体を当該カートリッジから取り出し可能な状態に移行させることができる構成とすることができる。
【００３５】
また、本発明のケースは、前記カートリッジから前記情報媒体を取り出した履歴を示す識別子を前記後壁近傍に備え、前記カートリッジの前記対向板体を前記底板に近接して配置した時、前記識別子が視認できる第２の切り欠きが、前記底板における前記挿入口の縁部または前記底板と前記天板とにおける前記挿入口の縁部に形成されている構成とすることができる。この構成により、カートリッジをケースに収納した状態で、識別子を抜去させることができる。
【００３６】
（実施の形態１）
図１は、カートリッジを収納可能なケースの斜視図である。図２は、ケースにカートリッジが収納されている状態を示す斜視図である。図３は、図２に示す状態における平面図である。図４は、ケースにカートリッジが収納されている状態を示す平面図であり、図２及び図３に示す収納方向とは異なる方向で収納している状態である。図５は、スライド部材を引き出した状態を示している。図６は、図５に示す状態の裏面側の平面図であるが、図示の状態におけるカートリッジは、本来底板で隠れている状態になっているが、図面の見やすさを考慮して実線描画した。図７は、カートリッジからディスクを取り出す様子を示す斜視図である。また、図３〜図６の平面図において、カートリッジに対する突起部の作用を明確に表現するために、カートリッジ２００の溝部２１４及び２１５近傍を部分的に切り欠いて描画している。
【００３７】
図１において、ケース１は、例えば樹脂で形成されている。また、ケース１は、平板状に構成されている底板１ａと、底板１ａに直交して立設されている第１の側板１ｂと、底板１ａに直交して立設され第１の側板１ｂに対向する位置に設けられている第２の側板１ｃと、底板１ａと第１の側板１ｂと第２の側板１ｃとに直交するように設けられている前板１ｄとから構成されている。すなわち、ケース１は、五面あるいは六面が囲まれている袋状の筐体構造ではなく、六面のうち四面に壁部を有する筐体構造になっている。前板１ａと第１の側板１ｂと第２の側板１ｃと前板１ｄとに囲まれた空間に、カートリッジ２００が収納される。また、底板１ａの主面は、ケース１に収納するためのカートリッジ２００の投影面積よりも大きな面積を有し、本実施の形態のケース１はＢＤ規格に準拠したカートリッジを収納するケースであるため、底板１ａの面積は、ＢＤカートリッジの主平面（例えば図２６に示す開口部１０２ａを有する面）の面積よりも、大きく形成されている。また、第１の側板１ｂと第２の側板１ｃと前板１ｄとにおける底板１ａからの高さ寸法は、少なくともカートリッジ２００の厚さに対して同じかそれ以上に形成されている。
【００３８】
突起部２は、カートリッジ２００がケース１に収納された際に、カートリッジ２００におけるシャッターロック部材２０４を押圧操作可能な部材である。また、リブ２は、ケース１の第１の側板１ｂにおいて、ケース１の内側に向かって立設されている。また、リブ２は、第１の側板１ｂの長手方向に沿って、連続的に形成されている。リブ２の長手方向の一端は、第１の側板１ｂと前板１ｄとの境界近傍に位置し、他端は第１の側板１ｂの長手方向の途中まで形成されている。また、リブ２は、頂部を湾曲させた、いわゆる蒲鉾形状としたが、このような形状に限らず、矩形状などであってもよい。少なくともカートリッジ２００の側面に形成されている溝部２１４及び２１５に嵌合可能な、形状及び幅寸法を有していればよい。また、リブ２の長手方向の長さ寸法は、カートリッジ２００をケース１に収納した際に、少なくともシャッターロック部材２０４を押圧可能な位置まで延設されていればよい。
【００３９】
上記のようなケース１にカートリッジ２００を収納させる際は、カートリッジ２００を図２及び図３に示すような方向で収納させる。すなわち、カートリッジ２００における上ハーフ２０２が底板１ａに対向し、カートリッジ２００における下ハーフ２０３が露出し、カートリッジ２００における溝部２１４が形成されている側面が第２の側板１ｃに対向し、カートリッジ２００における溝部２１５が形成されている側面が第１の側板１ｂに対向するように、カートリッジ２００をケース１内に配置させる。この時、リブ２は、カートリッジ２００における溝部２１５内に位置している。
【００４０】
このように配置させることにより、上ハーフ２０２に形成されている開口部２０２ｂを底板１ａで覆うことができるので、カートリッジ２００内に埃などの異物が侵入するのを防ぐことができる。
【００４１】
また、シャッターロック部材２０４及びシャッター開閉部材２０５を第２の側板１ｃで覆い、スライド部材２１０を底板１ａで覆うことができるので、誤ってシャッター２１６の開蓋操作を行ってしまうことがなく、ディスク２０１の記録面に埃や傷などが付着するのを防ぐことができる。
【００４２】
次に、カートリッジ２００からディスク２０１を取り出す際は、カートリッジ２００を図４に示すような方向で収納させる。すなわち、カートリッジ２００における下ハーフ２０３が底板１ａに対向し、カートリッジ２００における上ハーフ２０２が露出し、カートリッジ２００における溝部２１５が形成されている側面が第２の側板１ｃに対向し、カートリッジ２００における溝部２１４が形成されている側面が第１の側板１ｂに対向するように、カートリッジ２００をケース１内に配置させる。この時、リブ２は、カートリッジ２００における溝部２１４内に位置しているとともに、シャッターロック部材２０４を矢印Ｍ方向に押圧している。
【００４３】
図４に示すように、カートリッジ２００をケース１に収納させることで、リブ２がシャッターロック部材２０４を押圧するので、シャッター開閉部材２０５の移動規制が解除される。次に、ピン２１１を抜き去り、スライド部材２１０のロック状態を解除する。これで、スライド部材２１０をスライド可能な状態になる。
【００４４】
次に、図５に示すように、スライド部材２１０を、矢印Ｓ方向へスライドさせることで、スライド部材２１０に連結されたシャッター開閉部材２０５（図２７におけるシャッターロック部材１０５参照）が移動し、図６に示すようにシャッター２１６を開蓋状態へ移行させることができる。それと同時に、図５に示すように爪部２０８をカートリッジ２００内へ収納させることができる。これにより、ディスク２０１の位置規制が解除される。
【００４５】
この状態で、図７に示すようにディスク２０１をカートリッジ２００から取り出すことができる。この時、シャッター２１６が僅かに開いて開口部２１７が生じているので、ディスク２０１をカートリッジ２００から取り出す際、カートリッジ２００の下ハーフ２０３側から開口部２１７に指を挿入し、ディスク２０１のセンターホール２０１ａまたはその近傍を指で支持しながらディスク２０１を持ち上げることができるので、ディスク２０１を取り出しやすくすることができる。この取り出し方法は、あくまで一例である。
【００４６】
なお、ディスク２０１をカートリッジ２００から取り出す際は、カートリッジ２００をケース１に収納してスライド部材２１０をスライドさせてディスク２０１のロックを解除した後、カートリッジ２００をケース１から取り出して、ディスク２０１をカートリッジ２００から取り出してもよいし、カートリッジ２００をケース１に収納した状態で、ディスク２０１をカートリッジ２００から取り出してもよい。
【００４７】
また、ディスク２０１をカートリッジ２００内に収納させる際は、図５に示す状態になっているカートリッジ２００に対して、ディスク２０１をシャッター２１６の上面に載置する。次に、スライド部材２１０を矢印Ｔ方向へスライドさせる。スライド部材２１０をスライドさせると、スライド部材２１０に連結されているシャッター開閉部材２０５が移動し、シャッター２１６が閉じられるとともに、爪部２０８が図５に示す収納位置から図４に示す突出位置に移動する。これにより、図４に示すように、ディスク２０１は、カートリッジ２００内に収納され取り出しができない状態になる。
【００４８】
以上のように本実施の形態によれば、カートリッジ２００を収納可能なケース１に突起部２を設けたことにより、カートリッジ２００の収納方向を所定方向にすることで、カートリッジ２００におけるシャッターロック部材２０４のロックを解除し、ディスク２０１をカートリッジ２００から取り出し可能な状態に移行させることができる。よって、容易にカートリッジ２００からディスク２０１を取り出すことができる。
【００４９】
また、突起部２を、ケース１における第１の側板１ｂに形成し、底板１ａの対向面は開口していることにより、ディスク２０１を取り出す際は、図５に示すようにスライド部材２１０が露出させることができるので、スライド部材２１０を良好にスライド操作することができる。また、図４に示すようにカートリッジ２００をケース１に収納した際は、上ハーフ２０２に形成されている開口部２０２ｂを底板１ａで覆うことができるので、カートリッジ２００内に埃などの異物が侵入するのを防ぐことができる。
【００５０】
（実施の形態２）
図８は、実施の形態２におけるケースの外観を示す斜視図である。図９は、ケースにカートリッジが収納され、シャッターロック部材が押圧されている状態を示す平面図である。図１０は、スライド部材が引き出された状態を示す平面図である。図１１は、カートリッジをケースの奥まで挿入した状態を示す平面図である。なお、図９〜図１１の平面図において、カートリッジ２００に対するリブ１２の作用を明確に表現するために、カートリッジ２００の溝部２１４及び２１５近傍を部分的に切り欠いて描画している。
【００５１】
図８に示すように、ケース１１は、底板１１ａ、第１の側板１１ｂ、第２の側板１１ｃ、前板１１ｄ、リブ１２を備えている。なお、底板１１ａと第１の側板１１ｂと第２の側板１１ｃと前板１１ｄとは、それぞれ実施の形態１に示す構成と同様であるため、詳細説明は省略する。
【００５２】
リブ１２は、図８に示すように第１の側板１１ｂと前板１１ｄとの境界部分から所定の距離を隔てて配されている。具体的に、リブ１２の配置は、図９においてカートリッジ２００の挿入方向先端からシャッターロック部材２０４までの距離をＬ１、前板１１ｄからリブ１２までの距離をＬ２とした時、
Ｌ１＜Ｌ２
の関係になるように配されている。
【００５３】
上記のように構成されたケース１１を用いて、カートリッジ２００からディスク２０１を取り出す際は、カートリッジ２００を図９に示すような方向で収納させる。すなわち、カートリッジ２００における下ハーフ２０３が底板１１ａに対向し、カートリッジ２００における上ハーフ２０２が露出し、カートリッジ２００における溝部２１５が形成されている側面が第２の側板１１ｃに対向し、カートリッジ２００における溝部２１４が形成されている側面が第１の側板１１ｂに対向するように、カートリッジ２００をケース１内に配置させる。
【００５４】
本実施の形態では、リブ１２の位置は、図９におけるＬ１＜Ｌ２の関係にあるため、カートリッジ２００をケース１１に対して奥まで挿入せず、図９に示すように途中まで挿入することで、リブ１２をシャッターロック部材２０４に当接させて、シャッターロック部材２０４を矢印Ｍ方向に押圧させている。
【００５５】
図９に示すように、カートリッジ２００をケース１１に収納させることで、リブ１２がシャッターロック部材２０４を押圧するので、シャッター開閉部材２０５の移動規制が解除される。次に、ピン２１１を抜き去り、スライド部材２１０のロック状態を解除する。これで、スライド部材２１０をスライド可能な状態になる。
【００５６】
次に、図１０に示すように、スライド部材２１０を、矢印Ｓ方向へスライドさせることで、スライド部材２１０に連結されたシャッター開閉部材２０５（図２７におけるシャッターロック部材１０５参照）が移動し、シャッター２１６を開蓋状態へ移行させることができるとともに、爪部２０８をカートリッジ２００内へ収納させることができる。これにより、ディスク２０１の位置規制が解除され、ディスク２００を図１０に示す状態から紙面方向へ取り出すことができる。
【００５７】
一方、図１１は、カートリッジ２００をケース１１の奥まで挿入した状態であり、カートリッジ収納状態の一例を示している。図１１に示すように、カートリッジ２００をケース１１の奥（すなわち、カートリッジ２００の挿入方向先端が、前板１１ｄに当接あるいは近接する位置）まで挿入すると、リブ１２とシャッターロック部材２０４とが離間し、シャッターロック部材２０４が押圧されていない状態になる。
【００５８】
以上のように本実施の形態では、リブ１２と、第１の側板１１ｂ及び前板１１ｄの境界部分との間に、所定の間隙を有することにより、カートリッジ２００を上ハーフ２０２が露出する状態でケース１１に収納させた際に、リブ１２によってシャッターロック部材２０４が常時押圧されている状態を回避できるので、シャッターロック部材２０４における弾性復元力の低下を抑えることができる。
【００５９】
また、常時、シャッターロック部材２０４が押圧され、カートリッジ２００のピン２１１（取出履歴ピン）が抜去されている状態では、スライド部２１０が不意にスライドしてしまい、シャッター２０８が開いてしまう可能性があるが、本構成によれば、ピン２１１が抜去されていたとしても、スライド部２１０の移動をロックし、シャッター２０８の開閉動作をロックすることができる。よって、ディスク２０１を保護することができる。
【００６０】
なお、実施の形態１において図２を参照して説明したように、カートリッジ２００の下ハーフ２０３が露出するような方向で、カートリッジ２００をケース１１に収納した場合は、実施の形態１で説明した効果と同様の効果が得られることは言うまでもない。
【００６１】
（実施の形態３）
図１２は、実施の形態３におけるケースの外観を示す斜視図である。図１３は、ケースの平面図である。図１４は、ケースにカートリッジが第１の方向に収納されている状態を示す斜視図である。図１５は、ケースにカートリッジが第１の方向に収納されている状態を示す平面図である。図１６は、ケースにカートリッジが第２の方向に収納されている状態を示す斜視図である。図１７は、ケースにカートリッジが第２の方向に収納されている状態を示す平面図である。図１８は、スライド部材が引き出された状態を示す斜視図である。図１９は、スライド部材が引き出された状態を示す平面図である。図２０は、カートリッジからディスクを取り出す様子を示す斜視図である。なお、図１５、図１７、図１９の平面図において、カートリッジ２００に対する第１のリブ２２及び第２のリブ２３の作用を明確に表現するために、カートリッジ２００の溝部２１４及び２１５近傍を部分的に切り欠いて描画している。
【００６２】
図１２及び図１３に示すように、ケース２１は、底板２１ａ、第１の側板２１ｂ、第２の側板２１ｃ、前板２１ｄ、第１のリブ２２及び第２のリブ２３を備えている。なお、底板２１ａと第１の側板２１ｂと第２の側板２１ｃと前板２１ｄとは、それぞれ実施の形態１及び２に示す構成と同様であるため、詳細説明は省略する。
【００６３】
第１のリブ２２は、第１の側板２１ｂに配されている。また、第２のリブ２３は、第２の側板２１ｃに配されている。第１のリブ２２及び第２のリブ２３は、カートリッジ２００がケース２１に収納された際に、カートリッジ２００におけるシャッターロック部材２０４を押圧操作可能な部材である。また、第１のリブ２２は、ケース２１の第１の側板２１ｂにおいて、ケース１の内側に向かって立設され、第２のリブ２３は、ケース２１の第２の側板２１ｃにおいて、ケース１の内側に向かって立設されている。また、第１のリブ２２から前板２１ｄまでの距離をＬ１１、第２のリブ２３から前板２１ｄまでの距離をＬ１３とした時、
Ｌ１１＜Ｌ１３
の関係にある。すなわち、第１のリブ２２と第２のリブ２３とは、互いにカートリッジ２００の挿入方向にずれた位置に配されている。なお、第１のリブ２２及び第２のリブ２３のズレ量をＬ１２とする。
【００６４】
また、第２のリブ２３の長さは、以下のように定義される。すなわち、第２の側板において、第２のリブ２３の前板側端面と前板２１ｄとの距離をＤ１とし、第２のリブ２３の後辺（前板２１ｄに対向する辺部）との距離をＥ１とした時、
３７．７ｍｍ  ＜  Ｄ１、
９０．１ｍｍ  ≧  Ｅ１
の関係になる長さを有する。
【００６５】
また、第１のリブ２２及び第２のリブ２３は、頂部を湾曲させた、いわゆる蒲鉾形状としたが、このような形状に限らず、矩形状などであってもよい。少なくともカートリッジ２００の側面に形成されている溝部２１４及び２１５に嵌合可能な、形状及び幅寸法を有していればよい。
【００６６】
上記のようなケース２１にカートリッジ２００を収納させる際は、カートリッジ２００を図１４及び図１５に示すような方向で収納させる。すなわち、カートリッジ２００における上ハーフ２０２が底板２１ａに対向し、カートリッジ２００における下ハーフ２０３が露出し、カートリッジ２００における溝部２１４が形成されている側面が第２の側板２１ｃに対向し、カートリッジ２００における溝部２１５が形成されている側面が第１の側板２１ｂに対向するように、カートリッジ２００をケース１内に配置させる。この時、第１のリブ２２は、カートリッジ２００における溝部２１５内に位置し、第２のリブ２３は、カートリッジ２００における溝部２１４内に位置している。
【００６７】
また、図１５に示す状態では、第２のリブ２３は、溝部２１４の終端部に当接し、カートリッジ２００の挿入方向の位置を規制している。また、本実施の形態では、カートリッジ２００が底板２１ａの投影面内に収まる位置に、第２のリブ２３が形成されているため、カートリッジ２００をケース２１内に収納した状態で、カートリッジ２００がケース２１からはみ出す部分が無いので、収納状態における品格を向上させている。
【００６８】
また、本実施の形態では、カートリッジ２００の端面２００ｃと、底板２１ａの端部とが面一になる位置ように第２のリブ２３を配置しており、さらなる品格向上を実現している。すなわち、ケース２１において前板２１ｄから第２のリブ２３までの距離をＬ１３（図１３参照）、カートリッジ２００における頂部から溝部２１４の終端部までの距離をＬ２１（図１５参照）とした時、
Ｌ２１＜Ｌ１３
の関係になるように第２のリブ２３を配置している。
【００６９】
また、第２のリブ２３を、Ｌ２１＜Ｌ１３の関係になる位置に配置することにより、図１５に示すようにカートリッジ２００の頂部と前板２１ｄの内面との間には、僅かな間隙が生じている。これにより、カートリッジ２００の頂部を保護することができる。
【００７０】
また、図１５に示す状態において、第１のリブ２２は、溝部２１５に嵌合されているが、カートリッジ２００の挿入方向の位置規制は行っていない。また、第１のリブ２２が溝部２１５に嵌合し、第２のリブ２３が溝部２１４に嵌合していることにより、ケース２１に対してカートリッジ２００を、図１５の紙面方向の位置規制を行っている。
【００７１】
上記のようにカートリッジ２００をケース２１内に配置させることにより、上ハーフ２０２に形成されている開口部２０２ｂを底板２１ａで覆うことができるので、カートリッジ２００内に埃などの異物が侵入するのを防ぐことができる。
【００７２】
また、シャッターロック部材２０４及びシャッター開閉部材２０５を第２の側板２１ｃで覆い、スライド部材２１０を底板２１ａで覆うことができるので、誤ってシャッター２１６の開蓋操作を行ってしまうことがなく、ディスク２０１の記録面に埃や傷などが付着するのを防ぐことができる。
【００７３】
次に、上記のように構成されたケース２１を用いて、カートリッジ２００からディスク２０１を取り出す際の方法について説明する。
【００７４】
まず、カートリッジ２００を、図１６及び図１７に示すような方向で、ケース２１に収納させる。すなわち、カートリッジ２００における下ハーフ２０３が底板２１ａに対向し、カートリッジ２００における上ハーフ２０２が露出し、カートリッジ２００における溝部２１５が形成されている側面が第２の側板２１ｃに対向し、カートリッジ２００における溝部２１４が形成されている側面が第１の側板２１ｂに対向するように、カートリッジ２００をケース２１内に配置させる。
【００７５】
ここで、図１７に示すように、第２のリブ２３は、前板２１ｄから第２のリブ２３までの距離をＬ１３（図１３参照）、カートリッジ２００の挿入方向先端から溝部２１５の終端部までの距離をＬ２３（図１５参照）とした時、
Ｌ２３＜Ｌ１３
の関係にある。したがって、カートリッジ２００は、図１７に示すようにケース２１に収納された場合、前板２１ｄの近傍まで到達しない位置で位置規制される。
【００７６】
また、第１のリブ２２と第２のリブ２３とのズレ量Ｌ１２（図１３参照）と、シャッターロック部材２０４と溝部２１５の終端部とのカートリッジ挿入方向における距離Ｌ２４（図１５参照）とは、
Ｌ１２＝Ｌ２４
の関係にある。したがって、図１７に示すようにカートリッジ２００をケース２１に収納した場合、第２のリブ２３が溝部２１４の終端部に当接してカートリッジ２００の位置が決まった時、第１のリブ２２がシャッターロック部材２０４に当接可能な位置に達している。これにより、シャッターロック部材２０４は、第１のリブ２２によって矢印Ｍ方向に押圧される。
【００７７】
図１７に示すように、シャッターロック部材２０４を押圧されることで、シャッター開閉部材２０５の移動規制が解除される。次に、ピン２１１を抜き去り、スライド部材２１０のロック状態を解除する。これで、スライド部材２１０をスライド可能な状態になる。
【００７８】
次に、図１８及び図１９に示すように、スライド部材２１０を、矢印Ｓ方向へスライドさせることで、スライド部材２１０に連結されたシャッター開閉部材２０５（図２７におけるシャッターロック部材１０５参照）が移動し、シャッター２１６を開蓋状態へ移行させることができるとともに、爪部２０８をカートリッジ２００内へ収納させることができる。これにより、ディスク２０１の位置規制が解除され、図２０に示すように、ディスク２００をカートリッジ２００から取り出すことができる。
【００７９】
以上のように本実施の形態では、第１のリブ２２と第２のリブ２３を設けることで、カートリッジ２００を上ハーフ２０２が露出するようにケース２１に収納させた際に、第２のリブ２３がカートリッジ２００の位置規制を行い、第１のリブ２２がシャッターロック部材２０４を押圧してロック状態を解除する構成としたので、ケース２１を用いてカートリッジ２００におけるロックを解除し、カートリッジ２００からディスク２０１を取り出すことができる。
【００８０】
また、第１のリブ２２及び第２のリブ２３は、カートリッジ２００を下ハーフ２０３が露出するようにケース２１に収納させた際は、カートリッジ２００をケース２１の奥まで挿入可能なように配されているため、ケース２１は、カートリッジ２００を収納可能な容器としての機能も損なわれない。
【００８１】
また、図１６において、第２のリブ２３は、Ｌ２１＜Ｌ１３の関係になる位置に配されている構成としたことにより、カートリッジ２００をケース２１に収納した際に、カートリッジ２００の頂部がケース２１の後面に当接しないか、あるいは当接したとしても頂部に押圧力が加わらないため、カートリッジ２００の頂部を保護することができる。すなわち、カートリッジ２００の頂辺は、図示しているように湾曲して形成されているため、カートリッジ２００の頂辺がケース２１の前板２１ｄに当接すると、カートリッジ２００の頂辺における頂部に力が集中してしまい脆弱になってしまう。本実施の形態では、このような事象を回避することができる。
【００８２】
また、ケース２１に２カ所の第１のリブ２２及び第２のリブ２３を設けるだけの構成なので、大幅なコストアップを招かずに実現することができる。
【００８３】
（実施の形態４）
図２１は、実施の形態４におけるケースの外観を示す斜視図である。図２２は、ケースの平面図である。図２３は、ケースにカートリッジが収納されている状態を示す平面図である。図２４は、カートリッジからディスクを取り出すために、カートリッジをケースに収納した状態を示す平面図である。図２５は、スライド部材を引き出した状態を示す平面図である。なお、図２３〜図２５において、カートリッジとケースとを明瞭に識別可能なように、ケースを点線にて描画した。
【００８４】
図２１及び図２２に示すように、ケース３１は、実施の形態１等と同様、底板３１ａ、第１の側板３１ｂ、第２の側板３１ｃ、前板３１ｄを備え、さらに底板３１ａに対向し第２〜前板３１ｂ〜３１ｄに直交する天板３１ｅを備えている。ケース３１は、略立方体で構成され、五面を底板３１ａと第１の側板３１ｂと第２の側板３１ｃと前板３１ｄと天板３１ｅとで覆われ、さらに壁部で覆われていない開口部３４を備えているため、ケース３１は略袋状に形成されている。また、ケース３１は、実施の形態３の突起部と同様の位置に突起部３２及び３３を備えている。また、ケース３１における底板３１ａ及び天板３１ｅにおける端部には、切り欠き部３５及び３６が形成されている。なお、底板３１ａと第１の側板３１ｂと第２の側板３１ｃと前板３１ｄとは、それぞれ実施の形態１〜３に示す構成と同様であるため、詳細説明は省略する。また、規制部３２及び３３は、実施の形態３の規制部２２及び２３と同様に構成されているため、詳細説明は省略する。
【００８５】
切り欠き部３５は、底板３１ａ及び天板３１ｅにおける開口部３４の長手方向の略中央に形成され、ケース３１にカートリッジ２００を収納させた際に、カートリッジ２００の一部が外部に露出するように形成されている。切り欠き部３５は、図２３に示すようにカートリッジ２００を収納した状態において、カートリッジ２００をケース３１から取り出す際の掴み代を確保することができる。また、切り欠き部３５は、図２４に示すようにカートリッジ２００を収納した状態において、スライド部２１０をスライドさせやすくするために、スライド部２１０のエッジ部２１０ｂを外部に露出させることができる。
【００８６】
切り欠き部３６は、底板３１ａ及び天板３１ｅにおける切り欠き部３５の近傍に形成されている。また、切り欠き部３６は、カートリッジ２００を図２４に示すように収納した際に、ピン２１１を抜くことが可能なように、ピン２１１に重ならないような位置及び形状に形成されている。
【００８７】
上記のようなケース３１にカートリッジ２００を収納させる際は、カートリッジ２００を図２３に示すような方向で収納させる。すなわち、カートリッジ２００における上ハーフ２０２が底板３１ａに対向し、下ハーフ２０３が天板２１ｅに対向し、カートリッジ２００における溝部２１４が形成されている側面が第２の側板３１ｃに対向し、カートリッジ２００における溝部２１５が形成されている側面が第１の側板３１ｂに対向するように、カートリッジ２００をケース３１内に配置させる。この時、突起部３２は、カートリッジ２００における溝部２１５内に位置し、突起部３３は、カートリッジ２００における溝部２１４内に位置している。
【００８８】
上記のようにカートリッジ２００をケース３１内に配置させることにより、上ハーフ２０２に形成されている開口部２０２ｂを底板３１ａで覆うことができるので、カートリッジ２００内に埃などの異物が侵入するのを防ぐことができる。
【００８９】
また、シャッターロック部材２０４及びシャッター開閉部材２０５を第２の側板３１ｃで覆い、スライド部材２１０を底板３１ａで覆うことができるので、誤ってシャッター２１６の開蓋操作を行ってしまうことがなく、ディスク２０１の記録面に埃や傷などが付着するのを防ぐことができる。
【００９０】
次に、上記のように構成されたケース３１を用いて、カートリッジ２００からディスク２０１を取り出す際の方法について説明する。
【００９１】
まず、カートリッジ２００を、図２４に示すような方向で、ケース３１に収納させる。すなわち、カートリッジ２００における下ハーフ２０３が底板３１ａに対向し、カートリッジ２００における上ハーフ２０２が天板３１ｅに対向し、カートリッジ２００における溝部２１５が形成されている側面が第２の側板３１ｃに対向し、カートリッジ２００における溝部２１４が形成されている側面が第１の側板３１ｂに対向するように、カートリッジ２００をケース３１内に配置させる。
【００９２】
ここで、前述の実施の形態３において説明したように、突起部３３は溝部２１４における終端部に当接し、カートリッジ２００の挿入方向の位置が規制されている。また、突起部３３が溝部２１４の終端部に当接してカートリッジ２００の位置が決まった時、突起部３２がシャッターロック部材２０４に当接可能な位置に達している。これにより、シャッターロック部材２０４は、突起部３２によって押圧される。シャッターロック部材２０４が押圧されることで、シャッター開閉部材２０５の移動規制が解除される。
【００９３】
次に、ピン２１１を抜き去り、スライド部材２１０のロック状態を解除する。この時、図２４に示すように、ピン２１１は切り欠き部３６内に位置し、外部に露出した状態になっているため、容易にピン２１１を抜くことができる。これで、スライド部材２１０をスライド可能な状態になる。
【００９４】
次に、図２５に示すように、スライド部材２１０を、矢印Ｓ方向へスライドさせることで、スライド部材２１０に連結されたシャッター開閉部材２０５（図２７におけるシャッターロック部材１０５参照）が移動し、シャッター２１６を開蓋状態へ移行させることができるとともに、爪部２０８をカートリッジ２００内へ収納させることができる。これにより、ディスク２０１の位置規制が解除され、ディスク２０１を図２５の紙面方向へ取り出すことができる。
【００９５】
なお、図２４に示すように、スライド部２１０のエッジ部２１０ｂが、切り欠き部３５によって外部に露出した状態になっているため、スライド部２１０を引き出す際、エッジ部２１０ｂに使用者の指を引っかけることができ、軽い力でスライド部２１０を引き出すことができる。
【００９６】
以上のように本実施の形態では、ケース３１は、カートリッジ２００におけるロックを解除し、カートリッジ２００からディスク２０１を取り出すことができるとともに、一部に開口部３４を有する略袋状としたので、カートリッジ２００に埃や傷などが付着するのを防止することができる。
【００９７】
また、切り欠き部３５を形成したことにより、カートリッジ２００をケース３１から取り出す際に、掴み代を確保できるので、取り出し性を向上させることができる。
【００９８】
また、切り欠き部３５を形成したことにより、スライド部２１０の掴み代を大きく確保することができるので、カートリッジ２００からディスク２０１を取り出す際に、容易にスライド部２１０をスライド操作することができる。
【００９９】
また、切り欠き部３５は、スライド部２１０のエッジ部２１０ｂが露出する大きさ及び形状に形成されていることにより、エッジ部２１０ｂに指を引っかけてスライド部２１０を引き出すことができ、スライド部２１０を軽い力で引き出すことができる。
【０１００】
また、切り欠き部３６を形成したことにより、ピン２１１を露出させることができるため、カートリッジ２００からディスク２０１を取り出す際に、ピン２１１を容易に抜去することができる。
【０１０１】
また、突起部３２と突起部３３を設けることで、カートリッジ２００を上ハーフ２０２が露出するようにケース３１に収納させた際に、突起部３３がカートリッジ２００の位置規制を行い、突起部３２がシャッターロック部材２０４を押圧してロック状態を解除する構成としたので、ケース３１を用いてカートリッジ２００におけるロックを解除し、カートリッジ２００からディスク２０１を取り出すことができる。
【０１０２】
また、ケース３１に２カ所の突起部３２及び３３を設けるだけの構成なので、大幅なコストアップを招かずに実現することができる。
【０１０３】
なお、切り欠き部３５は、底板３１ａと天板３１ｅの両方に形成されていてもよいが、いずれか一方にのみ形成されていてもよい。
【０１０４】
また、本実施の形態のように、切り欠き部３５を底板３１ａと天板３１ｅとの両方に形成した場合、それぞれを同じ形状及び寸法に形成してもよいが、異なる形状及び寸法で形成してもよい。本実施の形態では、底板３１ａに形成されている切り欠き部３５を、天板３１ｅに形成されている切り欠き部３５よりも、開口部３４の端部から深く形成されている構成とした。この構成により、カートリッジ２００をケース３１から取り出す際に、カートリッジ２００を端部を掴みやすく、さらに引き出しやすくなるとともに、カートリッジ２００をケース３１に収納した際に、カートリッジ２００内に埃などの異物が侵入するのを防ぐことができる。
【０１０５】
すなわち、天板３１ｅに形成されている切り欠き部３５は、カートリッジ２００を図２３に示す方向にケース３１に収納した際は、切り欠き部３５の最深部がスライド部２１０上に位置するような寸法に形成されており、これにより、開口部２０２ｂが外部に露出しないようにすることができる。
【０１０６】
また、カートリッジ２００を図２４に示す方向にケース３１に収納した際は、底板３１ａに形成されている切り欠き部３５が、開口部２０２ｂ上に位置するように形成されているため、スライド部２１０のエッジ部２１０ｂが外部に露出した状態になる。これにより、スライド部２１０を引き出す際、エッジ部２１０ｂに使用者の指を引っかけることができ、軽い力でスライド部２１０を引き出すことができる。
【産業上の利用可能性】
【０１０７】
本発明は、カートリッジを収納可能なケースに関し、カートリッジに収納されているディスクを取り出すことが可能なケースに有用である。
【図面の簡単な説明】
【０１０８】
【図１】本発明の実施の形態１におけるケースの斜視図
【図２】実施の形態１におけるケースにカートリッジが収納されている状態を示す斜視図
【図３】実施の形態１におけるケースにカートリッジが収納されている状態を示す平面図
【図４】実施の形態１におけるケースにカートリッジが収納されている状態を示す平面図
【図５】実施の形態１におけるケースにカートリッジが収納され、スライド部材がスライドされている状態を示す平面図
【図６】実施の形態１におけるケースにカートリッジが収納され、スライド部材がスライドされている状態を示す平面図
【図７】カートリッジからディスクを取り出している状態を示す斜視図
【図８】実施の形態２におけるケースの斜視図
【図９】実施の形態２におけるケースにカートリッジが収納されている状態を示す平面図
【図１０】実施の形態２におけるケースにカートリッジが収納され、スライド部材がスライドされている状態を示す平面図
【図１１】実施の形態２におけるケースにカートリッジが収納されている状態を示す平面図
【図１２】実施の形態３におけるケースの斜視図
【図１３】実施の形態３におけるケースの平面図
【図１４】実施の形態３におけるケースにカートリッジが収納されている状態を示す斜視図
【図１５】実施の形態３におけるケースにカートリッジが収納されている状態を示す平面図
【図１６】実施の形態３におけるケースにカートリッジが収納されている状態を示す斜視図
【図１７】実施の形態３におけるケースにカートリッジが収納されている状態を示す平面図
【図１８】実施の形態３におけるケースにカートリッジが収納され、スライド部材がスライドされている状態を示す斜視図
【図１９】実施の形態３におけるケースにカートリッジが収納され、スライド部材がスライドされている状態を示す平面図
【図２０】カートリッジからディスクを取り出している状態を示す斜視図
【図２１】実施の形態４におけるケースの斜視図
【図２２】実施の形態４におけるケースの平面図
【図２３】実施の形態４におけるケースにカートリッジが収納されている状態を示す平面図
【図２４】実施の形態３におけるケースにカートリッジが収納されている状態を示す平面図
【図２５】実施の形態４におけるケースにカートリッジが収納され、スライド部材がスライドされている状態を示す平面図
【図２６】カートリッジの外観を示す斜視図
【図２７】カートリッジにおける下ハーフの構成を示す斜視図
【図２８】シャッターロック部材近傍の構成を示す部分平面図
【図２９】カートリッジの分解斜視図
【図３０】カートリッジの分解斜視図
【図３１】カートリッジにおけるスライド部材の動きを説明するための斜視図
【符号の説明】
【０１０９】
１、１１、２１、３１  ケース
１ａ、１１ａ、２１ａ、３１ａ  底板
１ｂ、１１ｂ、２１ｂ、３１ｂ  第１の側板
１ｃ、１１ｃ、２１ｃ、３１ｃ  第２の側板
１ｄ、１１ｄ、２１ｄ、３１ｄ  前板
３１ｅ  天板
２、１２  リブ
２２  第１のリブ
２３  第２のリブ
２００  カートリッジ
２０４  シャッターロック部材
２１４、２１５  溝部
【図１】
2009149359.tif 000003
【図２】
2009149359.tif 000004
【図３】
2009149359.tif 000005
【図４】
2009149359.tif 000006
【図５】
2009149359.tif 000007
【図６】
2009149359.tif 000008
【図７】
2009149359.tif 000009
【図８】
2009149359.tif 000010
【図９】
2009149359.tif 000011
【図１０】
2009149359.tif 000012
【図１１】
2009149359.tif 000013
【図１２】
2009149359.tif 000014
【図１３】
2009149359.tif 000015
【図１４】
2009149359.tif 000016
【図１５】
2009149359.tif 000017
【図１６】
2009149359.tif 000018
【図１７】
2009149359.tif 000019
【図１８】
2009149359.tif 000020
【図１９】
2009149359.tif 000021
【図２０】
2009149359.tif 000022
【図２１】
2009149359.tif 000023
【図２２】
2009149359.tif 000024
【図２３】
2009149359.tif 000025
【図２４】
2009149359.tif 000026
【図２５】
2009149359.tif 000027
【図２６】
2009149359.tif 000028
【図２７】
2009149359.tif 000029
【図２８】
2009149359.tif 000030
【図２９】
2009149359.tif 000031
【図３０】
2009149359.tif 000032
【図３１】
2009149359.tif 000033